(57)【要約】      （修正有）【課題】袋や鞄の雨による濡れを防止するカバーの見映えを改善する。【解決手段】カバー１は、四角形状でプラスチック製のシート１０と、シート１０と接合されて筒形収容部Ａを規定するプラスチック製のシート２０とからなる。筒形収容部の一端は、開口部１６を残して溶着されると共に、開口部１６の一部を基部として突出片１２が突出する。突出片の自由端１２ａに、粘着層１２ｂが剥離テープでカバーされている。紙袋１００をカバー１で被う際、提げ手１１０を外部に出した状態で、突出片で開口部を閉塞して粘着層をシート２０に粘着させる。【選択図】図３
0003144296.tif 000002
【実用新案登録請求の範囲】
【請求項１】
略四角形状でプラスチック製の第１のシートと、
略四角形状で前記第１のシートと接合されるとともに前記第１のシートと協働して筒形収容部を規定するプラスチック製の第２のシートと、
を備え、提げ手又は肩掛け紐を有して袋、鞄及び携帯容器のうちの１つからなる収容体を包装するカバーであって、
前記筒形収容部は、一端が、前記第１のシートの第１の辺と該第１の辺に対向する前記第２のシートの第１の辺とからなり開口部を規定する第１辺部からなり、他端が、前記第１のシートの第１の辺と対向する第２の辺と前記第２のシートの第１の辺と対向する第２の辺とからなる第２辺部からなり、
前記第１及び第２のシートのうちの一方のシートの第１の辺を第１の基部として突出する突出片が設けられ、前記第１の基部と反対側に位置する前記突出片の自由端に第１の粘着層と前記第１の粘着層を覆う剥離テープとが設けられ、
前記筒形収容部内に前記収容体を位置せしめたときに前記開口部を通じて前記提げ手又は肩掛け紐が前記筒形収容部の外部に延出し、その状態を維持しつつ前記突出片が前記開口部をの少なくとも部分的に閉塞して、前記第１の粘着層が前記第１及び第２のシートのうちの他方のシートの第１の辺近傍に粘着されるように構成されたことを特徴とするカバー。
【請求項２】
前記開口部は、前記提げ手又は前記肩掛け紐を前記筒形収容部の外部に延出可能とする寸法を有し、前記第１辺部において前記開口部以外の部分は互いに封止されていることを特徴とする請求項１記載のカバー。
【請求項３】
前記筒形収容部の他端は開口していることを特徴とする請求項１記載のカバー。
【請求項４】
前記第１及び第２のシートのうちの一方のシートの第２の辺を基部として延在する延長片が設けられ、前記基部と反対側の前記延長片の自由端に第２の粘着層と前記第２の粘着層を覆う剥離テープとが設けられ、
前記筒形収容部内に前記収容体を位置せしめて前記開口部を通じて前記提げ手又は肩掛け紐が前記筒形収容部の外部に延出したときに、前記第２の粘着層が前記第１及び第２のシートのうちの他方のシートの第２の辺近傍に粘着して前記筒形収容部からの前記収容体の脱落を防止することを特徴とする請求項１記載のカバー。
【請求項５】
前記第２辺部には、ガセット部が設けられていることを特徴とする請求項４記載のカバー。
【請求項６】
前記第２辺部は、互いに封止されていることを特徴とする請求項１記載のカバー。
【考案の詳細な説明】
【技術分野】
【０００１】
本考案は、提げ手又は肩掛け紐を有して袋、鞄及び携帯容器などからなる収容体を包装するカバーに関する。
【背景技術】
【０００２】
デパートなどの大型店舗では、雨天の日に買い物をしたときのサービスとして、購入した商品を運搬する紙袋にビニールカバーを被せて商品や紙袋を雨から保護することが行われている。このビニールカバーは、ビニール袋の上端が開口部を残して封止され、両端にガセットが形成され、下端が開口している。
【０００３】
ビニールカバーを紙袋に被せる際、カバーの下端よりカバーを紙袋に被せ、カバー内部に出現する空間に紙袋を収納して、上端の開口から紙袋の提げ手をカバーの外部に延出させている。そして、紙袋の収まりが良くなるように、カバーの向きや展開形状が適宜調節され、カバーが紙袋から不意に外れてしまうことを防止するために、必要に応じて、カバーの下端をテープによって固定したり、下端そのものを閉塞することが行われている。
【考案の開示】
【考案が解決しようとする課題】
【０００４】
従来のカバーは、その殆どが使い捨てされるために、ポリエチレンなどの廉価なフィルムによって作製されている。従って、カバーそのものに高級感がなく、また展開した形状が定まりにくいために、紙袋に被せたときの見映えが優れているとは認めがたいものであった。
【０００５】
本考案の目的は、上記問題点に鑑み、見映えが優れたカバーを提供することである。
【課題を解決するための手段】
【０００６】
本考案のカバーは、略四角形状でプラスチック製の第１のシートと、略四角形状で前記第１のシートと接合されるとともに前記第１のシートと協働して筒形収容部を規定するプラスチック製の第２のシートと、を備え、提げ手又は肩掛け紐を有して袋、鞄及び携帯容器のうちの１つからなる収容体を包装する。筒形収容部は、一端が、前記第１のシートの第１の辺と該第１の辺に対向する前記第２のシートの第１の辺とからなり開口部を規定する第１辺部からなり、他端が、前記第１のシートの第１の辺と対向する第２の辺と前記第２のシートの第１の辺と対向する第２の辺とからなる第２辺部からなる。前記第１及び第２のシートのうちの一方のシートの第１の辺を第１の基部として突出する突出片が設けられ、前記突出片の、前記第１の基部と反対側に位置する自由端に、第１の粘着層と前記第１の粘着層を覆う剥離テープとが設けられている。前記筒形収容部内に前記収容体を配置したときに、前記開口部を通じて前記提げ手又は肩掛け紐が前記筒形収容部の外部に延出し、その状態を維持しつつ前記突出片が開口部を少なくとも部分的に閉塞して、前記第１の粘着層が前記第１及び第２のシートのうちの他方のシートの第１の辺近傍に粘着されるように構成されている。
【０００７】
上記構成によれば、収容体を筒形収容部に収容したときに、突出片が筒形収納部の第１辺部を跨いで開口部の少なくとも一部を閉塞する。従って、カバーに収納された収容体の提げ手又は肩掛け紐を掴んで収容体を持ち上げたときに、突出片が収容体の上端に当接するので、カバーは、収容体から外れることなく収容体を被った状態を維持する。従って、例えば収容体を搬送する際の収容体の水による濡れや汚れの付着を容易に防止できる。
【０００８】
好ましくは、前記開口部は、前記提げ手又は前記肩掛け紐を前記筒形収容部の外部に延出可能とする寸法を有し、前記第１辺部において前記開口部以外の部分は互いに封止されている。従って、雨滴などがカバーの内部に入り込むのを防止でき、収容体の上側の濡れや汚れの付着を防止できる。
【０００９】
また、好ましくは、前記筒形収容部の他端は開口している。故に、筒形収容部の他端から収容体をその内部に容易に収納できる。また、収容体がランドセルやリュックサックなどからなる場合、肩掛け紐をカバーの外側に位置させることができる。
【００１０】
さらに、好ましくは、前記第１及び第２のシートのうちの一方のシートの第２の辺を第２の基部として延在する延長片が設けられ、前記基部と反対側の前記延長片の自由端に第２の粘着層と前記第２の粘着層を覆う剥離テープとが設けられ、前記筒形収容部内に前記収容体を位置せしめて前記開口部を通じて前記提げ手又は肩掛け紐が前記筒形収容部の外部に延出したときに、前記第２の粘着層が前記第１及び第２のシートのうちの他方のシートの第２の辺近傍に粘着して前記筒形収容部からの前記収容体の脱落を防止している。この構成により、カバーによって収容体をほぼ完全に被うことができ、収容体の濡れや汚れの付着をほぼ完全に防止できる。また、収容体を搬送する際に収容体に対するカバーのずれを防止でき、カバーで被われた収容体の美観を維持できる。
【００１１】
また、好ましくは、前記第２辺部にはガセット部が設けられている。従って、収容体の底部が幅広であっても、収容体の底部の形状に沿うようにカバーで被うことができる。
収容体をカバーの内部に見映え良く円滑に収納できる。
【００１２】
さらに、好ましくは、前記第２辺部は互いに封止されている。故に、カバーで被われた収容体の下側の濡れを防止できる。
【考案の効果】
【００１３】
本考案のカバーによれば、かかるカバーで被われた収容体の濡れや汚れの付着を防止できるとともに、収容体の形状に沿うようにカバーを被せることができ、カバーで被われた収容体の外観の見映えを良くすることができる。
【考案を実施するための最良の形態】
【００１４】
本考案の実施例のカバーを添付図面を参照して説明する。
【００１５】
カバー１は、図１に示すように、第１のシート１０と、第２のシート２０とからなり、いずれのシートも、例えばＯＰＣＰなどのプラスチックフィルムにより構成される。なお、各図面において、上下左右の方向は、カバー１が通常使用されるときの方向と一致し、これらの方向を適宜用いてカバー１について詳細に説明する。
【００１６】
第１のシート１０は、図２に示されるように、形状がほぼ四角形であり４つの辺１１ａ，１１ｂ，１１ｃ，１１ｄを有する第１の本体１１と、第１の辺としての最上部に位置する辺１１ａを第１の基部として上方に突出する突出片１２と、辺１１ａと対向し且つ第２の辺として最下部に位置する辺１１ｃから下方に延在する延長片１３とからなる。また、突出片１２と延長片１３との間には、辺１１ｃから辺１１ａに向けて折り返され更に辺１１ｃに向けて折り返されて延長片１３に連続する所定長さの折り込み部１４が設けられている。なお、第１の本体１１、突出片１２、折り込み部１４及び及び延長片１３は、連続して一体的に成形されている。折り込み部１４の所定の長さは、辺１１ｂ、１１ｄの各々の長さよりも短い。
【００１７】
突出片１２は、ほぼ四角形であり、突出片１２の左右方向の長さは、第１の本体１１の左右方向の長さよりも短く形成され、辺１１ａのほぼ中央に位置している。突出片１２の一面１２Ｓにおいて辺１１ａと反対側に位置する自由端１２ａ近傍には、長手方向が辺１１ａと平行になるように弱粘着性の帯状の第１の粘着層１２ｂが形成されている。そして、第１の粘着層１２ｂの粘着面を剥離テープ１２ｃが被っている。
【００１８】
延長片１３は、第１の本体１１の辺１１ｃと同じ左右方向の長さを有する四角形に形成されている。突出片１２の一面１２Ｓに連続する延長片１３の一面１３Ｓにおいて、辺１１ｃと反対側に位置する自由端１３ａ近傍には、長手方向が辺１１ｃと平行になるように弱粘着性の帯状の第２の粘着層１３ｂが形成されている。そして、第２の粘着層１３ｂの粘着面を剥離テープ１３ｃが被っている。
【００１９】
第２のシート２０は、第１の本体１１と同一の形状及び大きさを有する第２の本体２１からなり、第２の本体２１は、４つの辺２１ａ，２１ｂ，２１ｃ，２１ｄを有する。４つの辺２１ａ，２１ｂ，２１ｃ，２１ｄは、それぞれ第１のシート１０の対応する辺１１ａ，１１ｂ，１１ｃ，１１ｄと対向する。このとき、第１のシート１０は、突出片１２の一面１２Ｓに連続する面が、第２のシート２０と対向するように配置される。
【００２０】
第１のシート１０及び第２のシート２０は、辺１１ａ，１１ｂ，１１ｃ，１１ｄと対応する２１ａ，２１ｂ，２１ｃ，２１ｄとを対向させて、辺１１ｂと辺２１ｂ、さらには辺１１ｄと辺２１ｄは、それぞれ溶断により封止される。従って、第１のシート１０及び第２のシート２０は互いに接合され、内部に筒形収納部Ａを規定する。また、上記の第１のシート１０及び第２のシート２０の接合により、折り込み部１４は、第２のシート２０と共に、ガセット部１７を形成する。
【００２１】
この筒形収納部Ａの一端は、第１のシート１０の辺１１ａと第２のシート２０の辺２１ａとからなり、接合により重なり合うが、突出片１２と、突出片１２の上に重なる辺２１ａの部分とが互いに分離した状態を維持するようにして、辺１１ａの両端部からそれぞれ所定長さに亘り第１のシート１０と第２のシート２０とを溶着して、溶着領域１５、１５を形成する。そして、溶着領域１５，１５の間には、辺１１ａと辺２１ａとが溶着されずに残されて開口部１６が形成される。開口部１６の左右方向の長さは、突出片１２によって開口部１６を閉塞する際に、収容体の提げ手又は肩紐が開口部１６から筒形収容体Ａの外部に無理なく導出される寸法に形成されている。このようにして、カバー１の第１辺部１Ａが形成される。
【００２２】
筒形収納部Ａの他端は、第１のシート１０の辺１１ｃと第２のシート２０の辺２１ｃとからなり、カバー１の第２辺部１Ｂを形成する。開口部１６よりも大きく開口している。以上により、カバー１が形成される。
【００２３】
次に、紙袋１００をカバー１によって包装する方法について説明する。図３に示されるように、紙袋１００は、搬送用の１対の提げ手１１０を備えている。
【００２４】
一般に、カバー１によって包装される収容体としては、紙袋１００の他に、搬送用の提げ手や肩掛け紐を備えている任意の袋、鞄及び携帯容器が対象となる。
【００２５】
図３に示されるように、第１のシート１０及び第２のシート２０を互いに離反させて出現する筒形収容部Ａに、第２辺部１Ｂを通じて提げ手１１０が上になるようにして紙袋１００を入れ込む。次に、開口部１６から提げ手１１０を筒形収容部Ａの外部に取り出す。筒形収容部Ａにおける紙袋１００の配置や提げ手１１０の開口部１６からの取り出しを整えてから、提げ手１１０が筒形収容部Ａの外部に位置する状態を維持しつつ、突出片１２の自由端１２ａを開口部１６を跨いで第２のシート２０の外面に導く。その後、剥離テープ１２ｃを第１の粘着層１２ｂから剥離し、第１の粘着層１２ｂを介して突出片１２を第２のシート２０に固定する。従って、開口部１６が突出片１２によって少なくとも部分的に閉塞される。
【００２６】
上記の突出片１２の第２のシート２０への粘着に前後して、或いは、同時に、ガセット部１７を展開して、紙袋１００の底部を展開したガセット部１７に位置決めする。また、ガセット部１７の展開により、延長片１３は、上方に向けて折り返されて、第２の粘着層１３ｂは、第２のシート２０の外面と対向する。次に、剥離テープ１３ｃを剥がして、第２の粘着層１３ｂを介して延長片１３を第２のシート２０に粘着させる。このようにして、紙袋１００をカバー１によって包装することができる。
【００２７】
上記のように紙袋１００をシート１によって包装することにより、提げ手１１０によって紙袋１００を持ち上げたとき、突出片１２が、紙袋１００の上部を部分的に跨るように被うので、カバー１が紙袋１００から落下しない。従って、カバー１に包装された紙袋１００の雨による濡れや汚れの付着を防止できる。
【００２８】
また、突出片１２によって開口部１６の少なくとも一部が閉塞されるとともに、第１辺部１Ａが封止されているので、紙袋１００の上側の濡れを防止できる。
【００２９】
さらに、ガセット部１７により、紙袋の底部が幅広に形成されている場合であっても、カバー１の内部に紙袋１００を見映え良く収納できる。
【００３０】
また、筒形収納部Ａの他端が広く開口するとともに、延長片１３を部分的に第２のシート２０に第２の粘着層１３ｂによって粘着できるので、肩掛け紐が鞄の上端及び下端をつなぐように取り付けられているリュックサックやランドセルなどもカバー１によって包装でき、雨による濡れや汚れの付着を防止できる。
【００３１】
さらに、延長片１３によって、紙袋１００を収納した筒形収容部Ａの他端を閉塞するので、紙袋１００の下側の雨による濡れや汚れの付着を防止できる。
【００３２】
上記実施の形態では、カバー１は、ガセット部１７を備えていたが、ガセット部１７を省略できる。ガセット部１７の無いカバー１は、例えば底の幅の狭い、薄型の袋や鞄の包装に適している。また、ガセット部１７がないことにより、カバー１の製造価格を安価にできる。
【００３３】
また、上記実施の形態では、第１辺部１Ａは、開口部１６を残して辺１１ａ，２１ａを封止し、第２辺部１Ｂは開口させたが、かかる構成に替えて、辺１１ａ，２１ａを封止せずに第１辺部１Ａを開口させると共に、第２辺部１Ｂを封止して、カバー１を構成することもできる。この場合は、カバー１の第１辺部１Ａを通じて収容体を筒形収容部Ａに入れることができる。したがって、カバー１で収容体に容易に包装できると共に、収容体の下側の雨による濡れや汚れの付着を防止できる。
【００３４】
なお、カバー１を構成する第１のシート１０及び第２のシート２０の大きさ、或いは、突出片１２、延長片１４、開口部１６、ガセット部１７の各々の大きさは、筒形収容部Ａに収容され得る収容体の形状及び寸法に応じて適宜決めることができる。また、カバー１におけるガセット部１７の有無も、筒形収容部Ａに収容され得る収容体の形状及び寸法に応じて適宜決めることができる。
【００３５】
また、上記実施の形態では、開口部１６が上方に位置するようにカバー１で紙袋１００を被っていたが、提げ手や肩紐の取り付け位置によっては、カバー１の包装時の向きは適宜変更できる。
【００３６】
尚、本考案のカバーは、上記実施の形態に限定されるものではなく、本考案の要旨を逸脱しない範囲内において種々変更を加え得ることは勿論である。
【産業上の利用可能性】
【００３７】
本考案のカバーは、内部に収容した収容体の雨による濡れや汚れの付着を防止する袋や鞄、形態容器の包装に適用できる。
【図面の簡単な説明】
【００３８】
【図１】本考案の第１の実施の形態によるカバーを示す斜視図である。
【図２】図１に示すカバーの分解斜視図である。
【図３】図１に示すカバーで提げ手付き紙袋を被ったときの状態を示す斜視図である。
【符号の説明】
【００３９】
１    カバー
１Ａ  第１辺部
１Ｂ  第２辺部
１０    第１のシート
１２    突出片
１２ｂ  第１の粘着層
１２ｃ  剥離テープ
１６    開口部
２０    第２のシート
Ａ    筒形収容部
【図１】
0003144296.tif 000003
【図２】
0003144296.tif 000004
【図３】
0003144296.tif 000005